(57)【要約】【課題】情報をタグに正確に記憶させることができると共に作業時間も削減できる情報表示システムを提供すること。【解決手段】非接触で信号を受信する信号受信部と、受信した信号に基づいて信号から得られる情報を外部に発信する信号表現媒体とを備えるタグ及びタグに送信する信号を非接触で送信する信号通信部を備えるタグ管理機を具備し、上記タグは、上記タグ管理機からの信号を受信すると直ちに上記信号表現媒体により情報を外部に発信するように構成されている情報表示システム。【選択図】図１
2020170432.tif 000002
【特許請求の範囲】
【請求項１】
非接触で信号を受信する信号受信部と、受信した信号に基づいて信号から得られる情報を外部に発信する信号表現媒体とを備えるタグ
及び
タグに送信する信号を非接触で送信する信号通信部を備えるタグ管理機を具備し、
上記タグは、上記タグ管理機からの信号を受信すると直ちに上記信号表現媒体により情報を外部に発信するように構成されている
情報表示システム。
【請求項２】
上記信号表現媒体は、上記信号に基づく情報を文字又は画像として表示する情報表示部である、請求項１記載の情報表示システム。
【請求項３】
上記情報認識部は、上記タグにおける上記表示媒体に表示された文字又は画像を読み取るように構成されている、請求項２記載の情報表示システム。
【請求項４】
上記タグ管理機は、更にタグの表示又はタグの取り付けられた対象物の状態を読み取る情報認識部を具備する請求項１記載の情報表示システム。
【発明の詳細な説明】
【技術分野】
【０００１】
本発明は、タグを用いた情報表示システムに関し、さらに詳しくは、非接触で情報を表示することができる情報表示システムに関するものである。
【背景技術】
【０００２】
従来から、商店における商品への値段や仕様などの商品情報を表示するため、また病院における投薬薬剤の表示のため、物流施設における物流対象物の情報を表示するため等種々目的でタグを付与することが行われている。
近年、タグに手書きをするのではなく、電子ペーパや液晶等の電子的表示手段により各種情報を表示することが行われており、種々提案がなされている。
【０００３】
例えば、特許文献１には、信号受信部と、画像表示信号に基づき表示画像を表示する画像メモリ型表示媒体と、識別情報および画像表示信号が記憶される第１の記憶領域および第１の記憶領域における画像表示信号の記憶状態を示す記録情報を記憶する第２の記憶領域を有する記憶部とを備えるタグと、信号受信部と接触される接触電極部と、識別情報および記録情報を読み取る情報認識部と、識別情報に対応する画像表示情報および識別情報が記憶されたメモリと、画像表示情報に基づく画像表示信号、および記録情報を画像表示信号が記憶された状態を示すものにする書込み信号を、接触電極部を介して送信する書込み部と、を備えるリーダーライタとを有する、情報表示システムが提案されている。
また、特許文献２には、信号受信部と、データコードと、画像表示信号に基づき表示画像を表示する画像メモリ型表示媒体とを備えるタグと、信号受信部と接触される接触電極部と、データコードおよび画像メモリ型表示媒体の表示画像を認識する情報認識部と、データコードに含まれる情報と対応する画像表示情報およびデータコードの情報が記憶されたメモリと、画像表示情報に基づく画像表示信号を、接触電極部を介して送信する書込み部とを備えるリーダーライタとを有し、情報認識部がデータコードを読み取り、データコードに含まれる情報を得、メモリに記憶されたデータコードの情報と比較して一致する場合、書込み部が画像表示信号を、接触電極部を介して送信し画像メモリ型表示媒体に表示画像を表示させ、送信後情報認識部が表示画像を確認することができる情報表示システムが提案されている。 
【先行技術文献】
【特許文献】
【０００４】
【特許文献１】WO2016/194523号公報
【特許文献２】WO2016/194657号公報
【発明の概要】
【発明が解決しようとする課題】
【０００５】
しかしながら、上述の提案に係る情報表示システムでは、タグと情報をタグに書き込むリーダライタとを接触させる必要があるため、接触状態によって情報の記憶が十分でなくなり、正確な情報表示を行う観点で問題があった。また、接触させて情報をやり取りするために情報の記憶に時間がかかり、作業効率が悪いという問題もあった。
したがって本発明の目的は、情報をタグに正確に記憶させることができると共に作業時間も削減できる情報表示システムを提供することになる。
【課題を解決するための手段】
【０００６】
本発明者らは、上記課題を解消すべく鋭意検討した結果、タグとタグに情報を移送するタグ管理機とを非接触型とすることが効果的であることを知見し、さらに検討した結果、タグの情報表示機構を簡略化して、タグが情報を取得すると同時に情報を表示するように構成することで上記目的を達成しうることを見出し、本発明を完成するに至った。
すなわち、本発明は以下の各発明を提供するものである。
１．非接触で信号を受信する信号受信部と、受信した信号に基づいて信号から得られる情報を外部に発信する信号表現媒体とを備えるタグ
及び
タグに送信する信号を非接触で送信する信号通信部を備えるタグ管理機を具備し、
上記タグは、上記タグ管理機からの信号を受信すると直ちに上記信号表現媒体により情報を外部に発信するように構成されている
情報表示システム。
２．上記信号表現媒体は、上記信号に基づく情報を文字又は画像として表示する情報表示部である、１記載の情報表示システム。
３．上記情報認識部は、上記タグにおける上記表示媒体に表示された文字又は画像を読み取るように構成されている、２記載の情報表示システム。
４．上記タグ管理機は、更にタグの表示又はタグの取り付けられた対象物の状態を読み取る情報認識部を具備する１記載の情報表示システム。
【発明の効果】
【０００７】
本発明の情報表示システムは、タグに正確に記憶させることができると共に作業時間も削減できるものである。
【図面の簡単な説明】
【０００８】
【図１】図１は、本発明の情報表示システムの１実施形態を摸式的に示す概略図である。
【図２】図２は、本実施形態のタグの構成を示すブロック図である。
【図３】図３は、本実施形態のタグ管理機の構成を示すブロック図である。
【図４】図４は、本実施形態の情報表示システムによる情報表示の１例を示すフローチャートである。
【図５】図５は、本発明に用いられるタグの他の実施形態の構成を示すブロック図である。
【図６】図６は、本発明に用いられるタグの他の実施形態の構成を示すブロック図である。
【図７】図７は、本発明に用いられるタグの他の実施形態の構成を示すブロック図である。
【図８】図８は、本発明に用いられるタグの他の実施形態の構成を示すブロック図である。
【図９】図９は、本発明に用いられるタグの他の実施形態の構成を示すブロック図である。
【図１０】図１０は、本発明に用いられるタグ管理機の他の実施形態の構成を示すブロック図である。
【符号の説明】
【０００９】
１：情報表示システム、
１０：タグ、１１：情報表示部、１２：表示部、１３：処理部、１４：メモリ部、１５：信号受信部、１７：電池、
２０：タグ管理機、２１：通信部、２２：信号作成部、２３：情報認識部、２４：メモリ、２５：制御部、２７：操作部
【発明を実施するための形態】
【００１０】
以下、本発明をさらに詳細に説明する。
＜全体構成＞
本実施形態の情報表示システム１は、
非接触で信号を受信する信号受信部１５と、受信した信号に基づいて信号から得られる情報を外部に発信する信号表現媒体として、信号に基づいて文字又は画像を表示する情報表示部１１とを備えるタグ１０及びタグ１０の情報表示部１１に表示された情報を読み取る情報認識部２３と、タグに送信する信号を非接触で送信する信号通信部としての通信部２１とを備えるタグ管理機２０を具備する。
本明細書において、上記「信号」には、通常の通信により送受信される電波、音波、光波等による通信信号の他、電力、磁力等の情報伝達に用いうる手段が含まれる。また、「文字」には通常のひらがな、カタカナ、アルファベット等各国語の表記用文字のほか、記号、図形、符号、絵文字等の形で意味を示すものも含むものである。
以下、詳細に説明する。
【００１１】
＜タグ＞
本発明において「タグ」は、対象物に付して所定の情報を表示させるものを意味する。対象物に付する態様は特に制限されず、例えば、通常のいわゆる値札と同様に紐などを介して取り付ける態様やシールのように貼り付ける態様などを採用することができる。このように本発明におけるタグは、対象物に貼り付けて使用される形態、別体の取り付け部材を介して対象物に取り付けられる形態など種々形態で使用されるものであり、それぞれの使用形態に応じてタグの形状や構成は任意である。この使用態様に応じたタグの形態については後述する。ここでは、タグの要部について述べる。
本実施形態において、タグ１０は、図1に示すように、全体で板状の形状を有している。板状のハウジング内部に情報表示部１１と信号受信部１５と電池１７とが配設されており、情報表示部１１の表示部１２は板状体の一部に形成された開口から外部に露出している。
（情報表示部）
情報表示部１１は、情報を表示するための表示部１２と、信号受信部が受信した信号を表示部１２に表示するように変換するための処理部１３と、処理するために信号を一旦格納可能とするメモリ部とを有する。
表示部１２は、本実施形態においては液晶ディスプレイにより構成されているが、これに制限されるものではなく、有機ELディスプレイ、LEDディスプレイ、電子ペーパー等種々の表示部材を用いて形成することが可能である。
処理部１３は、図示しない配線を介して信号受信部に連結されていると共に表示部１２にも連結されている。この処理部は、薄膜トランジスタなどで構成されており所定の受信信号を他の表示用の信号に変換することが可能である。
メモリ部１４は、通常、コンピュータや携帯用情報端末等に用いられている一時記憶用の電気的又は磁気的な記録媒体を特に制限なく用いることができるが、その記録容量は表示に必要な程度でよい。また、メモリ部１４は情報を一時的に保存するものであるが、表示部１２に表示した情報を、信号受信部が新たな信号を受信するまで記憶しておくように構成されている。これにより、表示部１２の表示が何らかの事情により消えてしまっても再度同じ内容を表示することが可能となる。このことからメモリ部１４は電源の供給がない場合でも情報を記憶保持できるもの、すなわち不揮発性であることが好ましい。ここで、不揮発性とは、電源等の供給がない場合でも記憶された情報を記憶保持されることをいう。不揮発性であれば、電源等の供給がなくとも表示し続けることができる。
個別のID（認識番号）をメモリに蓄えておき、表示させることで、個別特定をすることができる。個別IDは、もっと簡単に、タグに印刷しておいても良い。
【００１２】
（信号受信部）
信号受信部１５は、特に図示しないが、例えば、ICチップおよびICチップに接続されたアンテナにより構成される。ICチップは好ましくは５０cm程度の距離があっても信号を正確に受信して表示することが可能であるのが好ましいので、中央演算処理装置（CPU）、読み出し専用メモリ（ROM）、データ処理用メモリ（RAM）データ格納用不揮発性メモリ（EEPROM）、公開鍵暗号アルゴリズムを高速に処理するための処理装置（Co-PROCESSOR）を具備するICチップが用いられる。
【００１３】
（電池）
電池１７は、情報表示部１１等に電気を供給するためのものであり、電子ペーパーなどの一旦表示してしまうと電気の供給が不要な場合は必須の構成部材ではないが、液晶や有機EL、LED等の表示に電気の供給が不可欠なものである場合には、電池は必須の構成部材である。本実施形態においては、薄型のリチウムイオン２次電池等を用いることができる。
また、本実施形態のタグは、公知の整流回路等の信号から電気を取り出す回路装置を具備しているのが好ましい。これにより外部からの電気の供給なく、信号の受信と同時に電気を発生させて電池により発生した電池を蓄えて表示を継続的に行うことを可能にすることができる。
【００１４】
＜タグ管理機＞
タグ管理機２０は、情報をタグに向けて送信するとともに外部のサーバーに無線により連結されてサーバーに設定されている各対象物の管理情報等タグに表示するべき情報を取得する通信部２１、タグに表示されている情報を読み取る情報認識部２３、読み取った情報と予め設定されているタグの付与されている対象物の情報とに基づいてタグに表示させるべき情報を含む信号を作成する信号作成部２２、諸情報を含む信号を一時的又は永続的に保存するメモリ２４、各部材を制御する制御部２５及び使用者が操作するための操作部２７を有する。
（制御部）
制御部２５は通常の中央処理演算装置（CPU）により形成されており、これによる制御は、通信部、情報認識部、信号作成部、およびメモリの動作、ならびにこれらの間でのデータの送受信を調整する。
【００１５】
（操作部）
操作部２５は、タグ管理機を使用する使用者が指示入力するためのものである。操作部２５の指示入力が制御部に入力されて、タグ管理機が指示入力に応じた動作を行う。操作部２５の構成は、指示入力することができれば特に限定されるものではなく、キーボードなどの操作ボタン、または指示入力に利用されるタッチセンサ等が適宜利用可能である。また、操作部では、音声で操作できるようにしてもよく、また音声を発して使用者に注意や指示を促すように構成することもできる。
【００１６】
（通信部）
通信部２１はタグの受信部に向けて信号を発信する部材であり、且つサーバーとの通信を行うためのものである。信号の発受信に際しては、無線によるものの他光による信号発受信を行うものとすることもできる。
【００１７】
（情報認識部）
情報認識部２３は、タグの表示部１２に表示されている情報を読み取るものである。本実施形態においてはカメラにより形成されている。カメラからなる情報認識部によりタグ１０１０の表示部１２に表示されている情報を撮影し、撮影した画像を一旦メモリに格納する。
【００１８】
（信号作成部）
信号処理部２２は、図示しない配線を介してメモリ２４に連結されている。そして、メモリ２４に格納されている情報認識部により取得された１０１０の表示部１２の画像を処理してタグ１０の表示部１２に表示されている情報を解析する。また、外部のサーバーから取得し、メモリに一時保存しておいた情報と、タグ１０の表示部１２に表示されている情報とを比較し、タグ１０の情報を更新する必要がある場合、またはタグ１０に情報が表示されておらず新たにタグ１０に情報を表示させる必要がある場合には、タグ１０に表示させるべき情報を有する信号を作成する。作成された信号はメモリ２４に移送するか、または通信部２１に移送して通信部からタグ１０に移送する。なお、メモリ２４に移送するとともに通信部２１に移送してもよく、メモリ２４に移送したのち制御部の指示を通じてメモリ２４から通信部２１に移送しても良い。
【００１９】
（メモリ）
メモリ２４は、制御部２５、通信部２１、情報認識部２３、及び信号作成部２２に連結されており、各部からの信号を再使用可能に格納することができる。メモリとしては、通常のコンピュータに用いられる、Random Access Memory(RAM)の他、一瞬のみデータを保管するレジスタやキャッシュ等も好ましく用いることができる。
【００２０】
＜特徴部分＞
そして、本実施形態の情報表示システムにおいて、タグ１０は、タグ管理機からの信号を受信すると直ちに画像表示媒体に情報を表示するように構成されている。
ここで「直ちに」とはタグ１０が受信した情報を、記憶媒体等に保存するのではなく、速やかに情報表示部１１の表示部に表示することを意味する。したがって、回路やメモリの配置、処理速度により受信から表示までの時間は異なることになるが、情報の保存や表示するか否かの選別などを行うことなく、受信した情報を表示部に表示するように作用するのであれば「直ちに」である。このためメモリ部は処理するために受信した信号を一時的に格納できるようにするものであり、信号を記憶し、格納するようには機能させる必要がない。
【００２１】
＜他の部材＞
本実施形態の情報表示システムにおいては、上記タグ１０、上記タグ管理機、外部サーバーの他に、更に各種部材を組み合わせて用いても良い。
例えば、表示部に変えて又は表示部と共に、スピーカー等の音又は音声を用いた表現機器、次の動作を示す指示器、所定の動作を行うドアなどの外部機器等の外部表現部材を用いることができる。具体的には、特に図示しないが、表示部として画像を表示するのではなく、音や音声を外部に発信するスピーカーを配することにより音声タグとすることができる。この場合、タグ管理機における情報認識部は、スピーカーからの音声情報を認識する音認識デバイス（マイク及び処理ソフト）とを具備することになり、この音声情報に基づいてタグ及びタグの取り付けられた対象物の現状態を把握することになる。また、指示器の場合、情報認識部は指示器による指示又は指示の結果としての対象物の状態を確認してタグ又は対象物の現状態を把握することになる。更に、外部表現部材の場合には、タグからの信号によって対象物であるドアなどの外部表現部材が所定の状態となるので、その状態を把握して、現状態を把握することとなる。
【００２２】
＜製造＞
本実施形態の情報表示システムは、常法に従ってタグ１０及びタグ管理機を製造して、得ることができる。
【００２３】
＜使用方法＞
本実施形態の情報表示システムは以下のようにして使用することができる。
タグ１０は、上述のように、対象物に貼り付けて使用される形態、別体の取り付け部材を介して対象物に取り付けられる形態などの形態で使用される。
そして、タグ１０にはあらかじめ所定の情報を入力し、表示させておき、タグ管理機を用いて適宜情報を更新する、これらの一連の操作を、本発明の情報表示システムを用いて行う一例の工程を、図４を参照して説明する。
【００２４】
図4により、商店において商品の原材料、産地、製造者、値段、取り扱い方法等の商品情報をタグに表示するとともに値段等を適宜変更する場合を例に説明する。なお、タグ１０の使用対象は商店における商品に限定されるものではなく、輸送システムにおけるコンテナやパレット、医療機関における各種医療機器等種々分野において同様に使用することが可能である。
本実施形態の情報表示システムにおいては、あらかじめタグ１０に表示するべき情報を送信して初期情報を表示させるステップ（ステップＳ１）、初期表示後にタグ１０の情報を読み取り、サーバーにおける当該タグ１０に表示させるべき更新情報と照合するステップ（ステップＳ２）、更新情報と差異がある場合にタグ１０に表示させるべき情報を伝達するための信号を調製するステップ（ステップＳ３）、調製した信号をタグ１０に向けて送信するステップ（ステップＳ４）、
タグ１０が受信した信号を受信した後直ちに表示部１２に表示するステップ（ステップＳ５）を行う。
以下、各ステップについて説明する。
【００２５】
（ステップＳ１）
本スッテプは、まず、タグ１０を表示の初期状態に戻すことから始める。初期状態に戻すためには、タグ１０に「初期状態に戻れ」とする命令をタグ管理機の信号作成部に作成させるように操作部から操作する。そして信号作成部で当該命令を作成した後、通信部よりタグ１０に送信させる。この際、複数のタグ１０が存在する場合に異なるタグ１０に正確に情報を送信するためにあらかじめタグ１０に個体認証番号を付しておき、情報表示部１１には常にこの個体認証番号を表示させておくのが好ましい。
初期状態に戻した後、表示させるべき情報を伝達するための信号を信号作成部により調整し、通信部よりタグ１０に向けて送信する。
かかる信号を受信したタグ１０では、受信した信号を処理部で処理して表示するべき情報を表示部に表示する。また、この際、信号の受信と同時に発電も行い、電力の充電を行うのが好ましい。
【００２６】
（ステップＳ２）
タグ１０に初期表示を行った後、時間の経過とともに表示させるべき内容が変動する場合がある。例えば、値段や消費期限、誤った情報の訂正などである。このような変更情報がある場合には、タグ管理機において、表示の変更を行うべきタグ１０をその個体認証番号をその操作部に設けられた操作表示部２９（図１参照）に表示させる。この際、タグ１０にGPS発信機を設置して、GPS機能を付与しておくことにより、当該表示の訂正を行うべきタグ１０の場所を表示して簡易にアクセス可能とすることもできる。
そして、タグ１０の表示部に表示されている情報を情報認識部で読み取り、この読み取りを行なっているタグ１０が情報の訂正を行うべきタグ１０であることを確認するとともに表示部１２に表示されている情報の内容を読み取り、一旦メモリに格納する。格納された情報を信号作成部により信号化して、情報の照合を行う。
なお、情報認識部で取得した画像データからの情報の信号化は、通常の光学文字認識（OCR）システムを用いて行うことができる。
【００２７】
（ステップＳ３）
表示されている情報が、表示すべき内容と異なる場合には、修正して表示すべき情報を信号作成部で抽出し、タグ１０の表示部１２に表示させるべき情報を伝達するための信号を調製する。ここで調製される信号は、必要な情報を信号化してなる信号と指示命令の信号とからなる。
【００２８】
（ステップＳ４）
調製した信号を信号作成部から通信部へと移送し、通信部からタグ１０に向けて、タグ１０とタグ管理機とが非接触の状態で送信する。送信手段は上述したように種々のものが用いられる。
【００２９】
（ステップＳ５）
通信部から信号が送信されることにより、タグ１０の信号受信部が信号を受信する。受信した信号は直ちに処理部で処理されるが、処理に際して一旦メモリ部に情報を格納しつつ処理を行う。信号の情報量によっては一度に処理部で処理しきれないほど多量の信号が受信される場合があり、このような場合に情報の格納が行えないと信号の受信に長時間を要してしまう場合の他、装置が止まってしまう場合があるので、メモリーに一旦信号を格納できるようにすることは重要である。そして、処理部により処理された情報は直ちに表示部１２に移送され、表示部１２において表示される。
本実施形態においては、上述した各ステップの他、必要に応じて種々ステップを加えることができる。
【００３０】
＜他の実施形態＞
ついで、本発明の情報表示システムの他の実施形態について図５〜１０を参照して説明する。なお、以下の説明においては、上述した実施形態の情報表示システムと異なる点を中心に説明する。特に説明しない点については適宜上述した実施形態における説明が適用される。
また、以下に説明する各実施形態は、それぞれタグ又はタグ管理機の変形例であり、それぞれに示すタグ及びタグ管理機は、上述した実施形態のタグ及びタグ管理機並びに以下の各タグ及びタグ管理機と自在に組み合わせて用いることができる。
【００３１】
図５及び６に示す実施形態の情報表示システムは、図５に示すように、タグが信号受信部に変えて電力受信部１１５を有している。この電力受信部は、電力を受信すると、当該電力を信号に変換する機能を有するのが好ましい。このため受信した電力によりタグを動作させることができると共に表示を行うことができる。このような電力受信部は、公知の信号変換器を備えた非接触式の電力受信機を特に制限なく用いて構成することができる。また、電力を受信することにより信号に変換する機能を有しない構成としてもよい。この場合には、メモリ部に予め電力の受信に伴って行うべき表示を記憶させておき、電力の受信後直ちに所定の表示を行うことになる。
また、図５に示すタグを用いる場合には、タグ管理器を簡略化することができる。具体的には、電力送信部１２１のみの構成として、タグ管理器を所定の距離にタグへと近づければ電力が送信されるように構成することもできるが、好ましくは図６に示す構成とすることができる。すなわち、図６に示すように、タグ管理機をタグに電力を送信する電力送信部１２１と、電力送信部を制御する制御部２５及び制御部２５を操作する操作部２７とにより構成することができる。これによりタグ管理機からタグにタグの必要に応じて電力を送信してタグに所定の表示を行うことができる。
図５及び図６に示す形態においては、上述のステップＳ１〜Ｓ５のうち、初期表示後にタグ１０の情報を読み取り、サーバーにおける当該タグ１０に表示させるべき更新情報と照合するステップ（ステップＳ２）、更新情報と差異がある場合にタグ１０に表示させるべき情報を伝達するための信号を調製するステップ（ステップＳ３）が不要となる。また、（ステップＳ４）については、調製した信号をタグ１０に向けて送信するステップではなく、電力をタグ１０に向けて送信するステップ（ステップＳ４’）となる。
（ステップＳ１）は上述の実施形態と同様に行う。（ステップＳ５）は、電力を受信することにより、指示があったとして予め設定されている表示を行うことにより行うステップ（ステップＳ５’）となる。この際、電力を信号に変換する機能を電力受信部に付与した場合には、変換された信号に基づく表示を行うことが可能となる。
【００３２】
次に図７に示す実施形態について説明する。
図７に示す実施形態の情報表示システムは、タグが、図５に示す形態と同様に電力受信部２１５を有し、メモリ部１４に変えてセンサ部２１４を有している。
この形態における電力受信部は、単に電力を受信して得られた電力を上表表示部１１に供給する機能のみを有するものでもよいが、電力を受信すると、当該電力を信号に変換する機能を有するのが好ましい。このため受信した電力によりタグを動作させることができると共に表示を行うことができる。このような電力受信部は、公知の信号変換器を備えた非接触式の電力受信機を特に制限なく用いて構成することができる。
また、センサ部２１４は、信号・電力受信部２１５で受信した電力をセンシングして所定の指示を読み取り、読み取った指示を信号化して処理部２１３へと移送し、表示部に表示させるように機能する。
本実施形態の情報表示システムにおいては、上述のステップＳ１〜Ｓ５のうち、初期表示後にタグ１０の情報を読み取り、サーバーにおける当該タグ１０に表示させるべき更新情報と照合するステップ（ステップＳ２）、更新情報と差異がある場合にタグ１０に表示させるべき情報を伝達するための信号を調製するステップ（ステップＳ３）が不要となる。また、（ステップＳ４）については、調製した信号をタグ１０に向けて送信するステップではなく、電力をタグ１０に向けて送信するステップ（ステップＳ４’）となる。
（ステップＳ１）は上述の実施形態と同様に行う。また、（ステップＳ５）は、電力受信部２１５が電力を受信すると、センサ部２１４が、電力受信部２１５が受信した電力をセンシングして所定の指示情報を読み取って所定の指示があったとして当該所定の指示を信号化して処理部２１３に移送するか又は電力を受信することにより指示があったとして予め設定されている表示を行うように処理部２１３に信号を移送する。そして、処理部１３により処理された情報は直ちに表示部１２に移送され、表示部１２において表示されるステップ（ステップＳ５’’）となる。
なお、この際タグ管理機としては、図３に示す形態のものでも図６に示す形態のものでもいずれでも用いる事ができる。
【００３３】
図８に示す実施形態の情報表示システムは、信号及び電力を受信する信号・電力受信部３１５を有する。そして、信号・電力受信部３１５で受信した信号は処理部に移送されるように信号・電力受信部３１５は処理部１３に連結されており、信号・電力受信部３１５で受信した電力は情報表示部全体に移送されるように配線されている。
この場合タグ管理機には、信号を送信する通信部と共に電力を送信する電力送信部を備える。
本実施形態の情報表示システムにおいては、図１〜４に示す実施形態と同様に、（ステップＳ１）、（ステップＳ２）、（ステップＳ３）、（ステップＳ４）、及び（ステップＳ５）を行う。
【００３４】
図９に示す実施形態の情報表示システムは、メモリ部がセンサ部３１４となっている以外は、図８に示す実施形態の情報表示システムにおけるタグと同じである。このようにセンサ部が設けられていることにより、信号・電力受信部３１５が電力及び信号を受信した際にセンサ部３１４がセンシングを行い、得られた情報を信号・電力受信部３１５から処理部１３へと移送する。
本実施形態の情報表示システムにおいては、図１〜４に示す実施形態と同様に、（ステップＳ１）、（ステップＳ２）、（ステップＳ３）、（ステップＳ４）、及び（ステップＳ５）を行うように構成しても良い。また、図７に示す実施形態と同様に、（ステップＳ２）、（ステップＳ３）を不要とし、（ステップＳ４’）及び（ステップＳ５’’）を行うように構成する事もできる。
【００３５】
図１０に示す実施形態の情報表示システムは、メモリ部１３とセンサ部３１４との両方が設けられている以外は、図８に示す実施形態の情報表示システムにおけるタグと同じである。このようにセンサ部３１４が設けられていることにより、信号・電力受信部３１５が電力及び信号を受信した際にセンサ部３１４がセンシングを行い、得られた情報を信号・電力受信部３１５から処理部１３へと移送する。また、メモリ部１３が設けられていることにより、上述した実施形態と同様にメモリに記憶させてある情報に基づく処理を行う事ができる。
本実施形態の情報表示システムにおいては、図１〜４に示す実施形態と同様に、（ステップＳ１）、（ステップＳ２）、（ステップＳ３）、（ステップＳ４）、及び（ステップＳ５）を行うように構成しても良い。また、図７に示す実施形態と同様に、（ステップＳ２）、（ステップＳ３）を不要とし、（ステップＳ４’）及び（ステップＳ５’’）を行うように構成する事もできる。
なお、図５〜１０に示す実施形態のいずれにおいても電池を設置することは可能である。
【００３６】
本発明は上述した実施形態に何ら制限されるものではなく、本発明の趣旨を逸脱しない範囲で種々変形可能である。
たとえば、
給電方法として受信した信号を活用して発電する方式を採用することを記載したが、この方式に制限されるものではなく、太陽電池や燃料電池など種々の発電手法を採用することができる。
また、タグ１０は、フィルム状または平板状のシートに貼り付けられて、値札、商品タグとして使用される。タグ１０は、値札、商品タグ以外に、入場券、回数券等にも利用することができる。すなわち、表示される情報は、商品情報に制限されるものではなく、種々情報の表示に適用可能である。また扇風機の羽根や輪転機などに取り付けてもよく、この場合には回転数などのカウンターを内蔵させて表示部１２に回転数などの情報を表示してタグ管理機でその情報を読み取り、回転数以外の制御などに関する情報を適宜訂正して表示させることができる。
また、情報表示部１１には、ＱＲコード（登録商標）やバーコード、文字などのタグ管理機では変更できない情報を表示した不変情報表示部を隣設することもできる。このように構成することで、ステップＳ１における初期情報の一部をあらかじめ表示しておき、適宜変更するべき情報のみを表示部１２に表示させることもできる。このように構成することでタグ管理機により管理を必要最小限の信号量とすることができ、より迅速なタグ管理が可能となる。
また、画像表示ではなく、タグの取り付けられたドアが開く、音を鳴らす、又は単にメモリに蓄える等の手段により、外部に表現することでもよい。
また、タグ管理機から電力を供給することでタグ管理器を電源機器として活用することも可能である。また情報認識部は、タグにセンサ部を設けた場合、このセンサ部から直接データと個別ＩＤとを読み取り、現状態を把握することもできる。なお、ＩＤは予め印字しておき、表示部以外の箇所から読み取るように設定することもできる。
また、タグ管理機は、ＩＤを読み取ることにより個別の校正曲線から真の値を演算した結果を、タグ管理機側に表示する機能を、タグ管理機の信号作成部に付与するか、もしくは当該機能を有するデバイスを配してもよい。この際、タグ管理機に表示機能を付与して、タグ管理機に当該結果を画像にて表示してもよい。
【図１】
2020170432.tif 000003
【図２】
2020170432.tif 000004
【図３】
2020170432.tif 000005
【図４】
2020170432.tif 000006
【図５】
2020170432.tif 000007
【図６】
2020170432.tif 000008
【図７】
2020170432.tif 000009
【図８】
2020170432.tif 000010
【図９】
2020170432.tif 000011
【図１０】
2020170432.tif 000012